(57)【要約】【課題】患者の取り違いによる薬剤の投与ミスを防ぎ、医療ミスを防止する。【解決手段】患者の医療支援を行う医療支援システムであって、患者無線タグ、治療材無線タグ、医療情報データベース、及び医療支援装置を備える。医療支援装置は、患者が当該医療支援装置に十分に近づいた場合に、患者無線タグから患者を識別する患者ＩＤを取得する患者ＩＤ取得部と、診断治療材が当該医療支援装置に十分に近づけられた場合に、診断治療材無線タグから診断治療材を識別する診断治療材ＩＤを取得する診断治療材ＩＤ取得部と、医療情報データベースを参照して、患者ＩＤ取得部が取得した患者ＩＤで識別される患者に、診断治療材ＩＤ取得部が取得した診断治療材ＩＤで識別される診断治療材が適切であるか否かを判断する診断治療材判断部と、診断治療材判断部が不適切であると判断した場合に、患者に対して警告を発する警告発生部とを有する。【選択図】  図１
2004287616.tif 000002
【特許請求の範囲】
【請求項１】
患者の医療支援を行う医療支援システムであって、
前記患者が所持する患者無線タグと、
診断治療材に付帯された診断治療材無線タグと、
前記患者の医療情報を格納する医療情報データベースと、
前記患者無線タグ、前記診断治療材無線タグ、及び前記医療情報データベースと通信する医療支援装置と
を備え、
前記医療支援装置は、
前記患者が当該医療支援装置に十分に近づいた場合に、前記患者無線タグから前記患者を識別する患者ＩＤを取得する患者ＩＤ取得部と、
前記診断治療材が当該医療支援装置に十分に近づけられた場合に、前記診断治療材無線タグから前記診断治療材を識別する診断治療材ＩＤを取得する診断治療材ＩＤ取得部と、
前記医療情報データベースを参照して、前記患者ＩＤ取得部が取得した前記患者ＩＤで識別される前記患者に、前記診断治療材ＩＤ取得部が取得した前記診断治療材ＩＤで識別される前記診断治療材が適切であるか否かを判断する診断治療材判断部と、
前記診断治療材判断部が不適切であると判断した場合に、前記患者に対して警告を発する警告発生部と
を有する医療支援システム。
【請求項２】
前記患者無線タグは、前記医療支援装置に十分に近づけられた場合にのみ前記医療支援装置と通信できる微弱な電波を用いて前記患者ＩＤを前記医療支援装置に送信する請求項１に記載の医療支援システム。
【請求項３】
前記診断治療材無線タグは、前記医療支援装置に十分に近づけられた場合にのみ前記医療支援装置と通信できる微弱な電波を用いて前記診断治療材ＩＤを前記医療支援装置に送信する請求項１に記載の医療支援システム。
【請求項４】
看護師が保持する看護師無線タグをさらに備え、
前記医療支援装置は、
前記看護師が当該医療支援装置に十分に近づいた場合に、前記看護師無線タグから前記看護師を識別する看護師ＩＤを取得する看護師ＩＤ取得部と、
前記医療情報データベースを参照して、前記看護師ＩＤ取得部が取得した前記看護師ＩＤで識別される前記看護師が、前記患者ＩＤ取得部が取得した前記患者ＩＤで識別される前記患者の担当であるか否かを判断する看護師判断部と
をさらに有し、
前記警告発生部は、前記看護師が前記患者の担当でない場合に、前記患者に対して警告を発する請求項１に記載の医療支援システム。
【請求項５】
前記看護師無線タグは、前記医療支援装置に十分に近づけられた場合にのみ前記医療支援装置と通信できる微弱な電波を用いて前記看護師ＩＤを前記医療支援装置に送信する請求項１に記載の医療支援システム。
【請求項６】
前記診断治療材は、薬剤であり、
前記診断治療材無線タグは、前記薬剤の容器に貼付され、
前記警告発生部は、前記診断治療材判断部が前記患者に前記薬剤が不適切である場合に、前記患者に対して警告を発する請求項１に記載の医療支援システム。
【請求項７】
前記医療情報データベースは、前記患者に対応づけて、前記薬剤の前記患者への投与スケジュール、並びに前記患者に前記薬剤が投与された日時を含む投与履歴を格納し、
前記医療支援装置は、前記医療情報データベースが格納する前記投与スケジュール及び前記投与履歴に基づいて、前記患者ＩＤ取得部が取得した前記患者ＩＤで識別される前記患者への、前記診断治療材ＩＤ取得部が取得した前記診断治療材ＩＤで識別される前記薬剤の投与タイミングが適切であるか否かを判断する投与タイミング判断部をさらに有し、
前記警告発生部は、前記投与タイミング判断部が不適切であると判断した場合に、前記患者に対して警告を発する請求項６に記載の医療支援システム。
【請求項８】
傷病と前記診断治療材との不適切な組み合わせを格納する投与防止データベースをさらに備え、
前記医療支援装置は、前記患者ＩＤ取得部が取得した前記患者ＩＤで識別される前記患者の傷病を前記医療情報データベースから抽出し、抽出した前記傷病と、前記診断治療材ＩＤ取得部が取得した前記診断治療材ＩＤで識別される前記診断治療材とが不適切な組み合わせでない否かを前記投与防止データベースを参照して判断する投与防止判断部をさらに有し、
前記警告発生部は、前記投与防止判断部が不適切であると判断した場合に、前記患者に対して警告を発する請求項１に記載の医療支援システム。
【請求項９】
患者の医療支援を行う医療支援装置であって、
前記患者が当該医療支援装置に十分に近づいた場合に、前記患者が所持する患者無線タグから前記患者を識別する患者ＩＤを取得する患者ＩＤ取得部と、
前記診断治療材が当該医療支援装置に十分に近づけられた場合に、前記診断治療材に付帯された診断治療材無線タグから前記診断治療材を識別する診断治療材ＩＤを取得する診断治療材ＩＤ取得部と、
前記患者の医療情報を格納する医療情報データベースを参照して、前記患者ＩＤ取得部が取得した前記患者ＩＤで識別される前記患者に、前記診断治療材ＩＤ取得部が取得した前記診断治療材ＩＤで識別される前記診断治療材が適切であるか否かを判断する診断治療材判断部と、
前記診断治療材判断部が不適切であると判断した場合に、前記患者に対して警告を発する警告発生部と
を備える医療支援装置。
【発明の詳細な説明】
【０００１】
【発明の属する技術分野】
本発明は、医療支援システム及び医療支援装置に関する。特に本発明は、患者の医療支援を行う医療支援システム及び医療支援装置に関する。
【０００２】
【従来の技術】
従来、病院における患者の照合は、患者が受け答えできる状態の場合は患者から直接聞くことにより確認し、患者が受け答えできない状態の場合は患者のベッドに記載された患者名を確認して行われていた。
【０００３】
現時点で先行技術文献の存在を認識していないので、先行技術文献に関する記載を省略する。
【０００４】
【発明が解決しようとする課題】
しかしながら、上述のような患者の確認方法では、医師や看護師の思い込みや見過ごし等に起因する患者の取り違いが発生し、重大な医療ミスを招くおそれがあった。
【０００５】
そこで本発明は、上記の課題を解決することのできる医療支援システム及び医療支援装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の形態によると、患者の医療支援を行う医療支援システムであって、患者が所持する患者無線タグと、診断治療材に付帯された診断治療材無線タグと、患者の医療情報を格納する医療情報データベースと、患者無線タグ、診断治療材無線タグ、及び医療情報データベースと通信する医療支援装置とを備える。
【０００７】
医療支援装置は、患者が当該医療支援装置に十分に近づいた場合に、患者無線タグから患者を識別する患者ＩＤを取得する患者ＩＤ取得部と、診断治療材が当該医療支援装置に十分に近づけられた場合に、診断治療材無線タグから診断治療材を識別する診断治療材ＩＤを取得する診断治療材ＩＤ取得部と、医療情報データベースを参照して、患者ＩＤ取得部が取得した患者ＩＤで識別される患者に、診断治療材ＩＤ取得部が取得した診断治療材ＩＤで識別される診断治療材が適切であるか否かを判断する診断治療材判断部と、診断治療材判断部が不適切であると判断した場合に、患者に対して警告を発する警告発生部とを有する。
【０００８】
医療支援システムは、看護師が保持する看護師無線タグをさらに備え、医療支援装置は、看護師が当該医療支援装置に十分に近づいた場合に、看護師無線タグから看護師を識別する看護師ＩＤを取得する看護師ＩＤ取得部と、医療情報データベースを参照して、看護師ＩＤ取得部が取得した看護師ＩＤで識別される看護師が、患者ＩＤ取得部が取得した患者ＩＤで識別される患者の担当であるか否かを判断する看護師判断部とをさらに有し、警告発生部は、看護師が患者の担当でない場合に、患者に対して警告を発してもよい。
【０００９】
患者無線タグは、医療支援装置に十分に近づけられた場合にのみ医療支援装置と通信できる微弱な電波を用いて医療支援装置に患者ＩＤを送信してもよい。診断治療材無線タグは、医療支援装置に十分に近づけられた場合にのみ医療支援装置と通信できる微弱な電波を用いて医療支援装置に診断治療材ＩＤを送信してもよい。看護師無線タグは、医療支援装置に十分に近づけられた場合にのみ医療支援装置と通信できる微弱な電波を用いて医療支援装置に看護師ＩＤを送信してもよい。
【００１０】
診断治療材は、薬剤であり、診断治療材無線タグは、薬剤の容器に貼付され、警告発生部は、診断治療材判断部が患者に薬剤が不適切である場合に、患者に対して警告を発してもよい。
【００１１】
医療情報データベースは、患者に対応づけて、薬剤の患者への投与スケジュール、並びに患者に薬剤が投与された日時を含む投与履歴を格納し、医療支援装置は、医療情報データベースが格納する投与スケジュール及び投与履歴に基づいて、患者ＩＤ取得部が取得した患者ＩＤで識別される患者への、診断治療材ＩＤ取得部が取得した診断治療材ＩＤで識別される薬剤の投与タイミングが適切であるか否かを判断する投与タイミング判断部をさらに有し、警告発生部は、投与タイミング判断部が不適切であると判断した場合に、患者に対して警告を発してもよい。
【００１２】
医療支援システムは、傷病と診断治療材との不適切な組み合わせを格納する投与防止データベースをさらに備え、医療支援装置は、患者ＩＤ取得部が取得した患者ＩＤで識別される患者の傷病を医療情報データベースから抽出し、抽出した傷病と、診断治療材ＩＤ取得部が取得した診断治療材ＩＤで識別される診断治療材とが不適切な組み合わせでない否かを投与防止データベースを参照して判断する投与防止判断部をさらに有し、警告発生部は、投与防止判断部が不適切であると判断した場合に、患者に対して警告を発してもよい。
【００１３】
なお上記の発明の概要は、本発明の必要な特徴の全てを列挙したものではなく、これらの特徴群のサブコンビネーションも又発明となりうる。
【００１４】
【発明の実施の形態】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。
【００１５】
図１及び図２は、本発明の一実施形態に係る医療支援システム１０の全体構成の一例を示す。医療支援システム１０は、薬袋、点滴袋等に入った薬剤１０２と患者１０４とが十分に近づいた場合に、その薬剤１０２が患者１０４に投与されるべき物であるか否かを判断し、患者の取り違いによる薬剤の投与ミスを防ぎ、医療ミスを防止することを目的とする。また、医療支援システム１０は、薬剤１０２と看護師１０６とが共に患者１０４とが十分に近づいた場合に、看護師１０６が患者１０４の担当であるか、即ち看護師１０６が患者１０４に薬剤１０２を投与すべき者であるか否かを判断し、看護師１０６による患者の取り違いによる薬剤の投与ミスを防ぎ、医療ミスを防止することを目的とする。
【００１６】
医療支援システム１０は、患者１０４の医療を支援する医療支援装置１００と、患者１０４が所持する患者無線タグ１０８と、診断治療材の一例である薬剤１０２に付帯された診断治療材無線タグ１１０と、看護師１０６が所持する看護師無線タグ１１２と、患者の医療情報を格納する医療情報データベース１１４と、傷病と薬剤１０２との不適切な組み合わせを格納する投与防止データベース１１６とを備える。なお、看護師１０６は、看護婦や看護士であり、医師であってもよい。診断治療材は、薬剤１０２の他、治療機器、診断機器等であってもよい。
【００１７】
患者無線タグ１０８、診断治療材無線タグ１１０、及び看護師無線タグ１１２は、例えば無線ＩＣチップである。診断治療材無線タグ１１０は、例えば薬袋や点滴袋等の薬剤１０２の容器に貼付される。医療支援装置１００は、患者無線タグ１０８、診断治療材無線タグ１１０、看護師無線タグ１１２、医療情報データベース１１４、及び投与防止データベース１１６と通信してデータの授受を行う。医療支援装置１００は、患者１０４に薬剤１０２が投与される場所、例えば患者１０４のベッドの付近等に設置されることが好ましい。
【００１８】
患者無線タグ１０８は、内蔵するメモリに患者１０４を識別する患者ＩＤを保持しており、医療支援装置１００に十分に近づけられた場合にのみ医療支援装置１００と通信できる微弱な電波を用いて医療支援装置１００に患者ＩＤを送信する。例えば、患者無線タグ１０８は、医療支援装置１００に予め定められた距離より近づけられた場合にのみ医療支援装置１００と通信できる微弱な電波を用いて医療支援装置１００に患者ＩＤを送信する。
【００１９】
診断治療材無線タグ１１０は、内蔵するメモリに薬剤１０２を識別する診断治療材ＩＤを保持しており、医療支援装置１００に十分に近づけられた場合にのみ医療支援装置１００と通信できる微弱な電波を用いて医療支援装置１００に診断治療材ＩＤを送信する。例えば、診断治療材無線タグ１１８は、医療支援装置１００に予め定められた距離より近づけられた場合にのみ医療支援装置１００と通信できる微弱な電波を用いて医療支援装置１００に診断治療材ＩＤを送信する。
【００２０】
看護師タグ１１２は、内蔵するメモリに看護師１０６を識別する看護師ＩＤを保持しており、医療支援装置１００に十分に近づけられた場合にのみ医療支援装置１００と通信できる微弱な電波を用いて医療支援装置１００に看護師ＩＤを送信する。例えば、看護師タグ１１２は、医療支援装置１００に予め定められた距離より近づけられた場合にのみ医療支援装置１００と通信できる微弱な電波を用いて医療支援装置１００に看護師ＩＤを送信する。予め定められた距離とは、例えば隣り合うベッド間の距離の半分の距離である。
【００２１】
医療支援装置１００は、患者ＩＤ、診断治療材ＩＤ、又は看護師ＩＤを取得したことにより、患者１０４、薬剤１０２、又は看護師１０６が十分に近づいたと判断する。
【００２２】
医療情報データベース１１４は、患者１０４の傷病の情報、患者１０４への薬剤１０２の処方の情報、患者１０４への薬剤１０２の投与スケジュールの情報、患者１０４に薬剤１０２を投与する看護師１０６の担当の情報、患者１０４に薬剤１０２が投与された日時を含む投与履歴の情報等を患者１０４に患者ＩＤと対応づけて格納しており、医療支援装置１００からの要求に応じて医療支援装置１００に参照させる。投与防止データベース１１６は、傷病と、当該傷病の患者１０４に投与すべきではない薬剤１０２との組み合わせを格納しており、医療支援装置１００からの要求に応じて医療支援装置１００に参照させる。
【００２３】
医療支援装置１００は、医療支援装置１００の近くにいる患者１０４の患者無線タグ１０８から患者ＩＤを取得し、医療支援装置１００の近くにある薬剤１０２の診断治療材ＩＤを取得し、医療支援装置１００の近くにいる看護師１０６０４の看護師無線タグ１１２から看護師ＩＤを取得する。そして、取得した患者ＩＤに基づいて医療情報データベース１０６が格納する患者１０４の医療情報を参照する。
【００２４】
医療支援装置１００は、患者１０４の患者１０４への薬剤１０２の処方の情報や、患者１０４への薬剤１０２の投与スケジュールの情報を参照し、取得した診断治療材ＩＤで識別される薬剤１０２が患者１０４に投与すべき物であるか否かを判断する。また、患者１０４に薬剤１０２を投与する看護師１０６の担当の情報を参照し、取得した看護師ＩＤで識別される看護師１０６が患者１０４に薬剤１０２を投与すべき者であるか否かを判断する。そして、判断結果に応じて、患者１０４や看護師１０６への警告、薬剤１０２の投与履歴の登録等の処理を行う。
【００２５】
図３は、本実施形態に係る医療支援装置１００の機能構成の一例を示す。医療支援装置１００は、患者無線タグ１０８から患者ＩＤを取得する患者ＩＤ取得部１１８と、診断治療材無線タグ１１０から診断治療材ＩＤを取得する診断治療材ＩＤ取得部１２０と、看護師無線タグ１１２から看護師ＩＤを取得する看護師ＩＤ取得部１２２と、薬剤１０２が患者１０４に適切であるか否かを判断する診断治療材判断部１２４と、看護師１０６が患者１０４の担当であるか否かを判断する看護師判断部１２６と、薬剤１０２の投与タイミングが適切であるか否かを判断する投与タイミング判断部１２８と、患者１０４の傷病と薬剤１０２とが不適切な組み合わせでないか否かを判断する投与防止判断部１３０と、診断治療材判断部１２４、看護師判断部１２６、投与タイミング判断部１２８、及び投与防止判断部１３０の判断結果に基づいて患者１０４及び看護師１０６に対して警告を発する警告発生部１３２とを備える。
【００２６】
図４及び図５は、本実施形態に係る医療支援装置１００の動作フローの一例を示す。患者１０４が医療支援装置１００に十分に近づいた場合に（Ｓ１００−Ｙ）、患者ＩＤ取得部１１８は、患者１０４が所持する患者無線タグ１０８から患者ＩＤを取得する（Ｓ１０２）。また、薬剤が医療新装置１００に十分に近づけられた場合に（Ｓ１０４−Ｙ）、診断治療材ＩＤ取得部１２０は、薬剤１０２に貼付された診断治療材無線タグ１１０から診断治療材ＩＤを取得する（Ｓ１０６）。
【００２７】
また、看護師１０６が医療支援装置１００に十分に近づいた場合に（Ｓ１０８−Ｙ）、看護師ＩＤ取得部１２２は、看護師１０６が所持する看護師無線タグ１１２から看護師ＩＤを取得する（Ｓ１１０）。そして、看護師判断部１２６は、医療情報データベース１１４を参照して、看護師ＩＤ取得部１２２が取得した看護師ＩＤで識別される看護師１０６が、患者ＩＤ取得部１２８が取得した患者ＩＤで識別される患者１０４の担当であるか否かを判断する（Ｓ１２２）。看護師１０６が医療支援装置１００に十分に近づかない場合には（Ｓ１０８−Ｎ）、看護師ＩＤの取得（Ｓ１１０）及び看護師１０６の照合（Ｓ１２２）は行わずにＳ１１４に進む。
【００２８】
看護師１０６が患者１０４の担当でないと看護師判断部１２６が判断した場合（Ｓ１２２−Ｎ）、警告発生部１３２は、その旨を患者１０４及び看護師１０６に通知して警告を発する（Ｓ１１４）。一方、看護師１０６が患者１０４の担当であると看護師判断部１２６が判断した場合（Ｓ１１２−Ｙ）、診断治療材判断部１２４は、医療情報データベース１１４を参照して、患者ＩＤ取得部１１８が取得した患者ＩＤで識別される患者１０４に、診断治療材ＩＤ取得部１２０が取得した診断治療材ＩＤで識別される薬剤１０２が適切であるか否かを判断する（Ｓ１１６）。
【００２９】
薬剤１０２が患者１０４に不適切であると診断治療材判断部１２４が判断した場合（Ｓ１１６−Ｎ）、警告発生部１３２は、その旨を患者１０４及び看護師１０６に通知して警告を発する（Ｓ１１４）。一方、薬剤１０２が患者１０４に適切であると診断治療材判断部１２４が判断した場合（Ｓ１１６−Ｙ）、投与防止判断部１３０は、患者ＩＤ取得部１１８が取得した患者ＩＤで識別される患者１０４の傷病を医療情報データベース１１４から抽出する（Ｓ１１８）。そして、投与防止判断部１３０は、投与防止データベース１１６を参照して、医療情報データベース１１４から抽出した傷病と、診断治療材ＩＤ取得部１２０が取得した診断治療材ＩＤで識別される薬剤１０２とが不適切な組み合わせであるか否かを判断する（Ｓ１２０）。
【００３０】
患者１０４の傷病と薬剤１０２とが不適切であると投与防止判断部１３０が判断した場合（Ｓ１２０−Ｎ）、警告発生部１３２は、その旨を患者１０４及び看護師１０６に通知して警告を発する（Ｓ１１４）。これにより、医師が患者１０４の傷病に不適切な薬剤１０２を処方した場合であっても、患者１０４に薬剤１０２が投与される前に、医師の処方ミスを発見することができる。
【００３１】
一方、患者１０４の傷病と薬剤１０２とが適切であると投与防止判断部１３０が判断した場合（Ｓ１２０−Ｙ）、投与タイミング判断部１２８は、医療情報データベース１１４が格納する投与スケジュール及び投与履歴に基づいて、患者ＩＤ取得部１１８が取得した患者ＩＤで識別される患者１０４への、診断治療材ＩＤ取得部１２０が取得した診断治療材ＩＤで識別される薬剤１０２の投与タイミングが適切であるか否かを判断する（Ｓ１２２）。
【００３２】
投与タイミングが不適切であると投与タイミング判断部１２８が判断した場合（Ｓ１２２−Ｎ）、警告発生部１３２は、その旨を患者１０４及び看護師１０６に通知して警告を発する（Ｓ１１４）。一方、投与タイミングが適切であると投与タイミング判断部１２８が判断した場合（Ｓ１２２−Ｙ）、医療情報データベース１１４は、患者１０２の投与履歴を更新して格納する（Ｓ１２３）。患者１０４又は看護師１０６は、医療支援装置１００から警告を受けない場合に薬剤１０２の投与を行い、警告を受けた場合には患者１０４や薬剤１０２を再度確認する。
【００３３】
本実施形態の医療支援システム１０によれば、薬剤１０２と患者１０４とが十分に近づいた場合に、その薬剤１０２が患者１０４に投与されるべき物であるか否かを判断し、患者の取り違いによる薬剤の投与ミスを防ぎ、医療ミスを防止することができる。また、薬剤１０２と看護師１０６とが共に患者１０４とが十分に近づいた場合に、看護師１０６が患者１０４の担当であるか否かを判断し、看護師１０６による患者の取り違いによる薬剤の投与ミスを防ぎ、医療ミスを防止することができる。
【００３４】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００３５】
【発明の効果】
上記説明から明らかなように、本発明の医療支援システムによれば、患者の取り違いによる薬剤の投与ミスを防ぎ、医療ミスを防止することができる。
【図面の簡単な説明】
【図１】医療支援システム１０の全体構成の一例を示す図である。
【図２】医療支援システム１０の全体構成の一例を示す図である。
【図３】医療支援装置１００の機能構成の一例を示す図である。
【図４】医療支援装置１００の動作フローの一例を示す図である。
【図５】医療支援装置１００の動作フローの一例を示す図である。
【符号の説明】
１０    医療支援システム
１００  医療支援装置
１０２  薬剤
１０４  患者
１０６  看護師
１０８  患者無線タグ
１１０  診断治療材無線タグ
１１２  看護師無線タグ
１１４  医療情報データベース
１１６  投与防止データベース
１１８  患者ＩＤ取得部
１２０  診断治療材ＩＤ取得部
１２２  看護師ＩＤ取得部
１２４  診断治療材判断部
１２６  看護師判断部
１２８  投与タイミング判断部
１３０  投与防止判断部
１３２  警告発生部
【図１】
2004287616.tif 000003
【図２】
2004287616.tif 000004
【図３】
2004287616.tif 000005
【図４】
2004287616.tif 000006
【図５】
2004287616.tif 000007